(57)【特許請求の範囲】
【請求項１】
１枚の板からなる第１踏板と、２枚１組で構成された第２踏板と、各踏板の略中心部に設けられた固定部材と、支軸を有し、前記固定部材は支軸に遊嵌されており、反転することにより、１枚の板からなる第１踏板と２枚１組の第２踏板のどちらでも使用可能であることを特徴とする手首と足首運動具。
【請求項２】
前記第１踏板の短辺側の幅と前記第２踏板の短辺側の幅との比率が１０：８から１０：１０の範囲であることを特徴とする請求項１に記載の手首と足首運動具。
【請求項３】
前記第１踏板と前記第２踏板が接する時の角度が１０度以上４５度以下であることを特徴とする請求項１又は請求項２に記載の手首と足首運動具。
【発明の詳細な説明】
【技術分野】
【０００１】  本発明は手首と足首運動具に関するものである。
【背景技術】
【０００２】  従来の手首と足首運動具は不安定であったり、油圧があるなど運動に強い力を要し、重量があるなど、子供や高齢者、体力弱者にあっては使用が困難である（例えば、特許文献１〜４）。
【先行技術文献】
【特許文献】
【０００３】
【特許文献１】  特開２００２−２３３５９１号
【特許文献２】  実用新案登録第３０６７３０８号
【特許文献３】  実用新案登録第３１３０２５１号
【特許文献４】  実開昭６２−１３７０５５号
【発明の概要】
【発明が解決しようとする課題】
【０００４】  特許文献１の運動具は、不安定で足首を痛めるおそれがある。
特許文献２の運動具は、油圧が強すぎて、子供および高齢者、体力弱者にあっては、使用困難な面がある。
また、特許文献３の運動具は、重量があり場所を取ることで移動させることが困難である。さらに、特許文献１〜３の運動具では、両足を同時に踏み込み運動することが出来るものがない。特許文献４の運動具は手指にぎり部の運動部において、握ることの出来ない人は手首の運動が出来ない。【０００５】  本発明は、従来の器具の問題を解決しようとするもので、安定して自力で手首と足首屈曲運動をすることが出来る。
また、２枚踏板を利用して交互反復運動が出来ると同時に、１枚の踏板で両足を同時に踏み込み運動が出来る。同じく手首においても反復運動することが出来る。
さらに、軽量にしてコンパクトな手首と足首運動具を提供することを目的とする。
【課題を解決するための手段】
【０００６】  そして、本発明は上記目的を達成するために次の構成を有する。即ち１枚の踏板と２枚１組で構成された踏板と各踏板の略中心部に設けられた固定部材と支軸を有し、前記固定部材は支軸に遊嵌したものである。【０００７】  ２枚１組で構成された踏板を前後に踏み込み交互反復運動を可能にし、踏板１枚で本発明を使用する場合は、反転させて同時踏み込み反復運動をするものである。【０００８】  加えて、本発明の他の形態は、反転することにより１枚の板からなる第１踏板と２枚１組のどちらでも使用可能としたものである。【０００９】  加えて、本発明の他の形態は、前記第１踏板の幅と前記第２踏板との比率は１０：８から１０：１０の範囲としたものである。【００１０】  さらに、本発明の他の形態としては、前記第１踏板と前記第２踏板が接する時の角度が１０度以上４５度以下としたものである。
【発明の効果】
【００１１】本発明は、子供から高齢者、体力弱者、半身不自由者の筋肉増進とリハビリ効果を目的として、最も安定した使い易い器具で、特に反転裏返しさせて１枚の踏板を使用することで、半身不自由者、片足に障害が有る人にも使用出来ること、動力を必要とせず自力で使用出来る。同じく手首に障害のある人の交互屈曲反復運動の運動と片手障害の有る人は反転させ１枚板で両手を同時に反復運動が出来る。
横揺れが無く、小型、軽量、場所をあまり取らず、椅子に座っても使用可能であり、立って使用することも可能である。
手首と足首や腿の筋力増進、リハビリ効果がある。
踏板の２枚１組で使用するだけでなく反転させることで１枚の踏板で使用することが出来、両面使用で幅広い使用が可能である。
【図面の簡単な説明】
【００１２】
【図１】本発明の正面図である。
【図２】第２踏板２枚を上面にした交互反復運動を示す側面図である。
【図３】反転させて第１踏板１枚を両足同時踏み込み反復運動を示す側面図。
【図４】使用例を示す図である。
【図５】手首運動使用例を示す図である。
【発明を実施するための形態】
【００１３】  以下、本発明の実施の形態を図１〜図５に基づいて説明する。
【００１４】  図１は本発明の手首と足首運動具の正面図であり、各踏板は固定部材で固定され支軸と固定部材は遊嵌されている。
この運動具の特徴は１本の支軸３を第１踏板１と第２踏板２の賂中心部に平行に固定部材４で固定しそれを支点として交互反復運動することで手首と足首・下肢全体の筋肉増進に効果があることを示す正面図である。
【００１５】  図２は第２踏板２を上面に交互反復運動を可能にして手首と足首の運動が出来ると共に、この運動具は自力で他の動力を要しないことで運動範囲が広く、自分で調整することが出来る。
運動範囲は１０度以上４５度以下が好ましい。通常、人の歩行時の足首角度は２０度前後であり、このことからして足首の運動の場合は、反復運動させる角度として２０度前後の運動が特に好ましい、この運動範囲を示す側面図である。
【００１６】  図３は第１踏板１を上面に反復運動を可能にした図である。
本発明の運動具は第１踏板１を上面にして１枚板で運動することも出来る。このような使用形態は、一方の手または足が不自由な人でも正常な手または足を同時に第１踏板１の上面に乗せて運動することで運動機能を回復することが可能であることを示す側面図である。
【００１７】図４は運動具の使用例であり、座って使用することも、立って使用することも出来る。立って使用する時には安定したものを持って安定した状態でバランス良く運動することで、より安全であると共に第２踏板２の上面使用と第１踏板上面で使用することが出来る使用例である。
【００１８】図５は手首の運動使用例である。この使用例は手首を踏板に交互屈曲反復運動が出来ることを示す図である。
【００１９】第１踏板１、第２踏板２は、ともに上部を半円形にすることも可能である。さらに片側に土踏まず部の刺激を高める方法が出来るものを設けることも出来る。両面踏板を使用するため、下面側になった踏板が不安定にならない範囲が好ましい。
前記半円形及び土踏まずの部材を取り外し可能にしてもよい。
【００２０】踏板の材質としては、木・プラスチック・金属を使用することも出来、一体物として形成されることも可能である。
第１踏板と第２踏板の短辺側の幅の比としては１０：８から１０：１０の範囲が好ましい。
幅を所定の範囲とすることにより踏板の角度を１０度から４５度の運動範囲に保つことが出来る。
【００２１】踏板の構造は、第１踏板１は長辺側の幅を通常歩行時の横幅約３００ｍｍ程度とし、短辺側の幅は土踏まずがのせられる程とし約８０〜１００ｍｍ程度とする。
第２踏板２の幅は長辺側を約１５０ｍｍ、短辺側については約８０〜１００ｍｍ程度とし２枚１組として使用する。
この程度の幅であれば手首運動も支障なく使用することが出来る。
【符号の説明】
【００２２】  １  第１踏板
２  第２踏板
３  支軸
４  固定部材
【図１】
0005387832.tif 000002
【図２】
0005387832.tif 000003
【図３】
0005387832.tif 000004
【図４】
0005387832.tif 000005
【図５】
0005387832.tif 000006